(57)【要約】      （修正有）【課題】備えられた表示手段とビデオ出力端子へ画像信号を同時に供給する装置を簡易な構成で生成する。【解決手段】デジタル信号処理部３０により、前記被写体像の中心部が前記メモリ空間の中心部に一致するようにデジタル画像データを当該メモリ空間にマッピングし、デジタルエンコーダ６２により、メモリ空間にマッピングされたデジタル画像データに基づいて、当該メモリ空間の中心部に記憶されているデジタル画像データにより示される画像の位置が再生画像の中心位置となるようにビデオ信号Ｓ１を生成してビデオ出力端子６６に供給すると共に、ＬＣＤコントローラ６８により、前記メモリ空間にマッピングされたデジタル画像データに基づいて、当該メモリ空間の中心部に記憶されているデジタル画像データにより示される画像の位置が再生画像の中心位置となるようにＬＣＤ３８により前記被写体像を表示するための画像信号を生成して当該ＬＣＤ３８に供給する。【選択図】図２
2005260740.tif 000002
【特許請求の範囲】
【請求項１】
撮像によって被写体像を示すデジタル画像データを取得する撮像手段と、
前記被写体像を表示するための表示手段と、
前記被写体像を示すビデオ信号を外部に出力するためのビデオ出力端子と、
前記デジタル画像データを一時的にマッピングするためのメモリ空間であり、かつ前記表示手段の表示領域のアスペクト比に応じた２次元配列状態とされたメモリ空間が予め設けられた記憶手段と、
前記被写体像の中心部が前記メモリ空間の中心部に一致するように前記デジタル画像データを当該メモリ空間にマッピングするマッピング手段と、
前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給するビデオ信号生成手段と、
前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給する画像信号生成手段と、
を備えたデジタルカメラ。
【請求項２】
前記マッピング手段は、前記ビデオ出力端子に接続された外部表示装置の表示領域のアスペクト比が前記表示手段の表示領域のアスペクト比と異なり、かつ前記被写体像のアスペクト比が前記外部表示装置の表示領域のアスペクト比と異なる場合に、前記デジタル画像データを、前記被写体像のアスペクト比を維持した状態で圧縮してマッピングする
請求項１記載のデジタルカメラ。
【請求項３】
前記ビデオ出力端子に接続された外部表示装置の表示領域のアスペクト比に応じて前記ビデオ信号生成手段及び前記画像信号生成手段の動作クロック信号の周波数を切り替える周波数切替手段
を更に備えた請求項１又は請求項２記載のデジタルカメラ。
【請求項４】
前記動作クロック信号の周波数を切り替える期間の被写体像の表示をブラックアウトさせるように前記ビデオ信号生成手段及び前記画像信号生成手段を制御する制御手段
を更に備えた請求項３記載のデジタルカメラ。
【請求項５】
撮像によって被写体像を示すデジタル画像データを取得する撮像手段と、前記被写体像を表示するための表示手段と、前記被写体像を示すビデオ信号を外部に出力するためのビデオ出力端子と、前記デジタル画像データを一時的にマッピングするためのメモリ空間であり、かつ前記表示手段の表示領域のアスペクト比に応じた２次元配列状態とされたメモリ空間が予め設けられた記憶手段と、を備えたデジタルカメラの画像信号生成方法であって、
前記被写体像の中心部が前記メモリ空間の中心部に一致するように前記デジタル画像データを当該メモリ空間にマッピングし、
前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給すると共に、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給する、
画像信号生成方法。
【請求項６】
前記ビデオ出力端子に接続された外部表示装置の表示領域のアスペクト比が前記表示手段の表示領域のアスペクト比と異なり、かつ前記被写体像のアスペクト比が前記外部表示装置の表示領域のアスペクト比と異なる場合に、前記デジタル画像データを、前記被写体像のアスペクト比を維持した状態で圧縮してマッピングする、
請求項５記載の画像信号生成方法。
【請求項７】
前記ビデオ出力端子に接続された外部表示装置の表示領域のアスペクト比に応じて前記ビデオ信号及び前記画像信号を生成する際の動作クロック信号の周波数を切り替える、
請求項５又は請求項６記載の画像信号生成方法。
【請求項８】
前記動作クロック信号の周波数を切り替える期間の被写体像の表示をブラックアウトさせるように前記ビデオ信号及び前記画像信号の生成動作を制御する、
請求項７記載の画像信号生成方法。
【発明の詳細な説明】
【技術分野】
【０００１】
本発明は、デジタルカメラ及び画像信号生成方法に関し、特に、撮影された被写体像を示すビデオ信号を外部に出力するためのビデオ出力端子を備えたデジタルカメラ及び当該デジタルカメラの画像信号生成方法に関する。
【背景技術】
【０００２】
近年、デジタルカメラの普及には目を見張るものがあり、年間出荷台数も銀塩カメラを上回るほどになっている。
【０００３】
ところで、従来のデジタルカメラでは、通常、ＣＣＤ、ＣＭＯＳイメージ・センサ等の撮像素子による撮像画像（被写体像）のアスペクト比は４：３とされている。これは、従来のテレビジョン受像機（以下、「従来型ＴＶ」という。）や、デジタルカメラに被写体像のモニター用として設けられている液晶ディスプレイ等の表示装置における表示領域のアスペクト比が４：３であることに対応したものである。
【０００４】
その一方で、近年、表示領域のアスペクト比が１６：９（所謂ワイドサイズ）とされたテレビジョン受像機（以下、「ワイドＴＶ」という。）の普及が進んでおり、デジタルカメラに設けられている表示装置についても、表示領域がワイドサイズとされたものの適用が進むものと予想される。
【０００５】
この場合、撮像素子として撮像画像のアスペクト比が４：３であるものが用いられたデジタルカメラによって撮影された被写体像を、アスペクト比を４：３としたまま外部に接続されたワイドＴＶや、搭載されている被写体像モニター用のワイドサイズの表示装置により表示するとき、表示部が液晶パネルで構成されている場合には当該液晶パネル上に表示される画像が画面の水平走査開始側である画面左側によってしまい、かつ画面右側には画像の一部が表示されてしまう、という課題があった。
【０００６】
この課題を解決するために、従来、アナログ映像信号におけるブランキング期間中のラインメモリへの書き込み周波数を映像表示期間中より高くすることによりデータ数を拡大し、これを一定速度で再生することにより、４：３のアスペクト比の画像をワイド画面の左右方向中央部に表示させることができるようにした技術があった（例えば、特許文献１参照。）。
【特許文献１】特開平１１−３５２４６３号公報
【発明の開示】
【発明が解決しようとする課題】
【０００７】
ところで、従来のデジタルカメラには、撮影された被写体像をテレビジョン受像機で表示することができるようにするために、ビデオ信号を出力するビデオ出力端子が設けられている場合が多い。
【０００８】
この種のデジタルカメラにおいて、当該デジタルカメラに搭載されている被写体像モニター用の表示装置とビデオ出力端子に接続されたテレビジョン受像機で被写体像を同時に表示できるようにするためには、当該表示装置に供給する画像信号とテレビジョン受像機で用いられるビデオ信号とでは仕様が大きく異なるため、各信号別に異なる系統の画像信号生成回路が必要となり、構成が複雑となる、という問題点が生じる。
【０００９】
なお、前述した特許文献１に記載の技術では、ビデオ出力端子を設ける点については何ら考慮されていないため、この問題点を解決することはできない。
【００１０】
本発明は上記問題点を解決するためになされたものであり、備えられた表示手段により被写体像を表示するための画像信号と、接続された外部表示装置に供給するための画像信号とを簡易な構成で生成することのできるデジタルカメラ及び画像信号生成方法を提供することを目的とする。
【課題を解決するための手段】
【００１１】
上記目的を達成するために、請求項１記載のデジタルカメラは、撮像によって被写体像を示すデジタル画像データを取得する撮像手段と、前記被写体像を表示するための表示手段と、前記被写体像を示すビデオ信号を外部に出力するためのビデオ出力端子と、前記デジタル画像データを一時的にマッピングするためのメモリ空間であり、かつ前記表示手段の表示領域のアスペクト比に応じた２次元配列状態とされたメモリ空間が予め設けられた記憶手段と、前記被写体像の中心部が前記メモリ空間の中心部に一致するように前記デジタル画像データを当該メモリ空間にマッピングするマッピング手段と、前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給するビデオ信号生成手段と、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給する画像信号生成手段と、を備えている。
【００１２】
請求項１に記載のデジタルカメラによれば、撮像手段による撮像によって被写体像を示すデジタル画像データが取得される。なお、上記撮像手段には、ＣＣＤ、ＣＭＯＳイメージセンサ等の固体撮像素子が含まれる。
【００１３】
また、本発明のデジタルカメラには、前記被写体像を表示するための表示手段と、前記被写体像を示すビデオ信号を外部に出力するためのビデオ出力端子と、前記デジタル画像データを一時的にマッピングするためのメモリ空間であり、かつ前記表示手段の表示領域のアスペクト比に応じた２次元配列状態とされたメモリ空間が予め設けられた記憶手段と、が備えられている。なお、上記表示手段には、液晶ディスプレイ、ＣＲＴディスプレイ、プラズマ・ディスプレイ、有機ＥＬディスプレイ等の各種ディスプレイ装置が含まれる。また、上記記憶手段には、ＳＤＲＡＭ（Synchronous DRAM）、ＶＲＡＭ（Video RAM）、フラッシュ・メモリ（Flash Memory）等の半導体記憶素子が含まれる。
【００１４】
ここで、本発明のデジタルカメラでは、マッピング手段により、前記被写体像の中心部が前記メモリ空間の中心部に一致するように前記デジタル画像データが当該メモリ空間にマッピングされる。
【００１５】
そして、本発明では、ビデオ信号生成手段により、前記メモリ空間にマッピングされたデジタル画像データに基づいて、当該メモリ空間の中心部に記憶されているデジタル画像データにより示される画像の位置が再生画像の中心位置となるように前記ビデオ信号が生成されて前記ビデオ出力端子に供給されると共に、画像信号生成手段により、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号が生成されて当該表示手段に供給される。
【００１６】
すなわち、本発明では、撮像手段によって取得されたデジタル画像データをビデオ出力端子に供給するビデオ信号と、自身に搭載されている表示手段に供給する画像信号の元となる共通のデータとして用いることができるように、当該デジタル画像データにより示される被写体像の中心部が予め定められたメモリ空間の中心部に一致するようにマッピングしており、当該データを各信号別に異なる系統で生成する場合に比較して、装置構成を簡易化するようにしている。
【００１７】
このように、請求項１に記載のデジタルカメラによれば、撮像によって被写体像を示すデジタル画像データを取得する撮像手段と、前記被写体像を表示するための表示手段と、前記被写体像を示すビデオ信号を外部に出力するためのビデオ出力端子と、前記デジタル画像データを一時的にマッピングするためのメモリ空間であり、かつ前記表示手段の表示領域のアスペクト比に応じた２次元配列状態とされたメモリ空間が予め設けられた記憶手段と、を備え、前記被写体像の中心部が前記メモリ空間の中心部に一致するように前記デジタル画像データを当該メモリ空間にマッピングし、前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給すると共に、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給しているので、備えられた表示手段により被写体像を表示するための画像信号と、接続された外部表示装置に供給するための画像信号とを簡易な構成で生成することができる。
【００１８】
ところで、前記ビデオ出力端子に接続された外部表示装置の表示領域のアスペクト比が前記表示手段の表示領域のアスペクト比と異なり、かつ前記被写体像のアスペクト比が前記外部表示装置の表示領域のアスペクト比と異なる場合には、前記メモリ空間全体に前記デジタル画像データをマッピングしてしまうと、外部表示装置によって表示される被写体像が一部欠けてしまう場合がある。
【００１９】
そこで、本発明は、請求項２に記載の発明のように、前記マッピング手段は、前記ビデオ出力端子に接続された外部表示装置の表示領域のアスペクト比が前記表示手段の表示領域のアスペクト比と異なり、かつ前記被写体像のアスペクト比が前記外部表示装置の表示領域のアスペクト比と異なる場合に、前記デジタル画像データを、前記被写体像のアスペクト比を維持した状態で圧縮してマッピングすることが好ましい。これによって、外部表示装置によって表示される被写体像の欠落を防止することができる。
【００２０】
また、本発明は、請求項３に記載の発明のように、前記ビデオ出力端子に接続された外部表示装置の表示領域のアスペクト比に応じて前記ビデオ信号生成手段及び前記画像信号生成手段の動作クロック信号の周波数を切り替える周波数切替手段を更に備えることが好ましい。これによって、外部表示装置に応じたビデオ信号を簡易に生成できる。
【００２１】
更に、請求項３に記載の発明は、請求項４に記載の発明のように、前記動作クロック信号の周波数を切り替える期間の被写体像の表示をブラックアウトさせるように前記ビデオ信号生成手段及び前記画像信号生成手段を制御する制御手段を更に備えることが好ましい。これにより、動作クロック信号の周波数が切り替えられることによる表示画像の乱れを未然に防止することができる。
【００２２】
一方、上記目的を達成するために、請求項５記載の画像信号生成方法は、撮像によって被写体像を示すデジタル画像データを取得する撮像手段と、前記被写体像を表示するための表示手段と、前記被写体像を示すビデオ信号を外部に出力するためのビデオ出力端子と、前記デジタル画像データを一時的にマッピングするためのメモリ空間であり、かつ前記表示手段の表示領域のアスペクト比に応じた２次元配列状態とされたメモリ空間が予め設けられた記憶手段と、を備えたデジタルカメラの画像信号生成方法であって、前記被写体像の中心部が前記メモリ空間の中心部に一致するように前記デジタル画像データを当該メモリ空間にマッピングし、前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給すると共に、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給するものである。
【００２３】
従って、請求項５に記載の画像信号生成方法は、請求項１記載の発明と同様に作用するので、請求項１記載の発明と同様に、備えられた表示手段により被写体像を表示するための画像信号と、接続された外部表示装置に供給するための画像信号とを簡易な構成で生成することができる。
【００２４】
なお、本発明は、請求項６に記載の発明のように、前記ビデオ出力端子に接続された外部表示装置の表示領域のアスペクト比が前記表示手段の表示領域のアスペクト比と異なり、かつ前記被写体像のアスペクト比が前記外部表示装置の表示領域のアスペクト比と異なる場合に、前記デジタル画像データを、前記被写体像のアスペクト比を維持した状態で圧縮してマッピングすることが好ましい。これによって、外部表示装置によって表示される被写体像の欠落を防止することができる。
【００２５】
また、本発明は、請求項７に記載の発明のように、前記ビデオ出力端子に接続された外部表示装置の表示領域のアスペクト比に応じて前記ビデオ信号及び前記画像信号を生成する際の動作クロック信号の周波数を切り替えることが好ましい。これによって、外部表示装置に応じたビデオ信号を簡易に生成できる。
【００２６】
更に、請求項７に記載の発明は、請求項８に記載の発明のように、前記動作クロック信号の周波数を切り替える期間の被写体像の表示をブラックアウトさせるように前記ビデオ信号及び前記画像信号の生成動作を制御することが好ましい。これにより、動作クロック信号の周波数が切り替えられることによる表示画像の乱れを未然に防止することができる。
【発明の効果】
【００２７】
本発明によれば、撮像によって被写体像を示すデジタル画像データを取得する撮像手段と、前記被写体像を表示するための表示手段と、前記被写体像を示すビデオ信号を外部に出力するためのビデオ出力端子と、前記デジタル画像データを一時的にマッピングするためのメモリ空間であり、かつ前記表示手段の表示領域のアスペクト比に応じた２次元配列状態とされたメモリ空間が予め設けられた記憶手段と、を備え、前記被写体像の中心部が前記メモリ空間の中心部に一致するように前記デジタル画像データを当該メモリ空間にマッピングし、前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給すると共に、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給しているので、備えられた表示手段により被写体像を表示するための画像信号と、接続された外部表示装置に供給するための画像信号とを簡易な構成で生成することができる、という効果が得られる。
【発明を実施するための最良の形態】
【００２８】
以下、図面を参照して、本発明の実施の形態について詳細に説明する。
【００２９】
まず、図１を参照して、本実施の形態に係るデジタルカメラ１０の外観上の構成を説明する。
【００３０】
同図に示すように、デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００３１】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３２】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３３】
また、モード切替スイッチ５６Ｃは、撮影を行うモードである撮影モード及び被写体像を後述するＬＣＤ３８に再生するモードである再生モードの何れかのモードに設定する際に回転操作される。
【００３４】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。また、本実施の形態に係るデジタルカメラ１０では、ＬＣＤ３８として、表示領域のアスペクト比が１６：９とされた所謂ワイドサイズのものが適用されている。
【００３５】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３６】
なお、デジタルカメラ１０の側面には、ビデオ信号を外部に出力するためのビデオ出力端子６６（図１では図示省略。図２参照。）が設けられている。
【００３７】
次に、図２を参照して、本実施の形態に係るデジタルカメラ１０の電気系の主要構成を説明する。
【００３８】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３９】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４０】
なお、デジタル信号処理部３０は、所定容量のラインバッファを内蔵し、入力されたデジタルデータを後述するメモリ４８Ａの所定領域に直接記憶させる制御も行う。
【００４１】
ここで、本実施の形態に係るデジタルカメラ１０では、上記デジタルデータが直接記憶される所定領域として、図３に示すように、当該デジタルデータを一時的にマッピングするためのメモリ空間であり、かつＬＣＤ３８の表示領域のアスペクト比（ここでは、１６：９）に応じた２次元配列状態とされたメモリ空間ＭＳが適用されている。そして、本実施の形態に係るデジタル信号処理部３０は、入力されたデジタルデータをメモリ４８Ａのメモリ空間ＭＳに、被写体像の中心部が当該メモリ空間ＭＳの中心部に一致するように直接マッピングしている。
【００４２】
なお、デジタル信号処理部３０には、入力されたデジタルデータに対して、当該デジタルデータにより示される被写体像の解像度を変換する機能も備えられている。
【００４３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４４】
一方、デジタルカメラ１０は、デジタル画像データにより示される被写体像やメニュー画面等をＬＣＤ３８に表示させるための画像信号を生成してＬＣＤ３８に供給する一方、ＬＣＤ３８に表示させる画像を示すビデオ信号（本実施の形態では、ＮＴＳＣ信号）Ｓ１を生成してビデオ出力端子６６に供給するビデオ／ＬＣＤエンコーダ３６を備えている。
【００４５】
ここで、ビデオ／ＬＣＤエンコーダ３６は、メモリ４８Ａのメモリ空間ＭＳからマッピングされたデジタル画像データ（以下、「マッピングデータ」という。）ＤＡＴＡを入力し、当該マッピングデータＤＡＴＡに基づいて後述するビデオ信号Ｓ１を示すデジタルデータを生成して出力するデジタルエンコーダ６２と、デジタルエンコーダ６２から出力されたデジタルデータをアナログ信号に変換してビデオ信号Ｓ１としてビデオ出力端子６６に供給するデジタル／アナログ変換器（以下、「ＤＡＣ」という。）６４と、を備えている。
【００４６】
なお、本実施の形態に係るデジタルエンコーダ６２では、マッピングデータＤＡＴＡに基づいて、メモリ空間ＭＳの中心部に記憶されているデジタル画像データにより示される画像の位置が再生画像の中心位置となるようにビデオ信号Ｓ１を示すデータを生成する。
【００４７】
また、ビデオ／ＬＣＤエンコーダ３６は、マッピングデータＤＡＴＡを入力し、当該マッピングデータＤＡＴＡに基づいてＬＣＤ３８に供給する画像信号を生成するＬＣＤコントローラ６８を備えている。
【００４８】
なお、本実施の形態に係るＬＣＤコントローラ６８では、マッピングデータＤＡＴＡに基づいて、メモリ空間ＭＳの中心部に記憶されているデジタル画像データにより示される画像の位置が再生画像の中心位置となるように画像信号を生成する。その他、ＬＣＤコントローラ６８では、マッピングデータＤＡＴＡに含まれるデジタル画像データにより示される被写体像の画素配列をＬＣＤ３８の画素配列に変換する画素配列変換処理、当該被写体像の画素数をＬＣＤ３８の画素数に変換する画素数変換処理、当該被写体像に対するＬＣＤ３８の特性等に応じたガンマ処理やシャープネス処理等の各種処理を実行するが、以上のようなＬＣＤコントローラ６８の動作は従来既知であるので、これ以上の説明は省略する。
【００４９】
一方、デジタルカメラ１０は、デジタルカメラ１０全体の動作を司るＣＰＵ（中央処理装置）４０と、撮影により得られたデジタル画像データ等を一時的に記憶するメモリ４８Ａと、各種パラメータ等の所定情報が予め記憶されたメモリ４８Ｂと、メモリ４８Ａ及びメモリ４８Ｂに対するアクセスの制御を行うメモリインタフェース４６と、を含んで構成されている。
【００５０】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００５１】
なお、本実施の形態のデジタルカメラ１０では、メモリ４８ＡとしてＳＤＲＡＭ（Synchronous DRAM）が用いられ、メモリ４８ＢとしてフラッシュＲＯＭが用いられ、メモリカード５２としてスマートメディア（Smart Media(R)）が用いられている。
【００５２】
デジタル信号処理部３０、ビデオ／ＬＣＤエンコーダ３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０、ビデオ／ＬＣＤエンコーダ３６及び圧縮・伸張処理回路５４の作動の制御、メモリ４８Ａ、メモリ４８Ｂ及びメモリカード５２へのメモリインタフェース４６ないし外部メモリインタフェース５０を介したアクセスを各々行うことができる。
【００５３】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５４】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５５】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５６】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００５７】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５８】
更に、デジタルカメラ１０には、主としてビデオ／ＬＣＤエンコーダ３６を駆動させるための動作クロック信号を生成してビデオ／ＬＣＤエンコーダ３６に供給するクロックジェネレータ７２が備えられており、ビデオ／ＬＣＤエンコーダ３６の駆動は当該動作クロック信号に同期された状態で制御される。なお、クロックジェネレータ７２はＣＰＵ４０に接続されており、当該クロックジェネレータ７２により生成される動作クロック信号の周波数はＣＰＵ４０によって設定することができる。
【００５９】
ところで、本実施の形態に係るデジタルカメラ１０は、ビデオ出力端子６６に対し、従来型ＴＶとワイドＴＶの何れか一方を選択的に接続することができるものとして構成されている。そして、デジタルカメラ１０は、メニュースイッチを押圧操作することによってＬＣＤ３８に表示されるメニュー画面上で、ビデオ出力端子６６に接続されたテレビジョン受像機７４（図２参照。以下、「ＴＶ７４」という。）が従来型ＴＶであるのか、ワイドＴＶであるのかを設定するものとして構成されている。
【００６０】
また、本実施の形態に係るデジタルカメラ１０は、メニュースイッチを押圧操作することによってＬＣＤ３８に表示されるメニュー画面上で、撮影モード実行時におけるメモリカード５２に記録する被写体像のアスペクト比を１６：９及び４：３の何れか一方に選択的に設定することができると共に、再生モード実行時におけるＬＣＤ３８に再生表示する被写体像のアスペクト比を１６：９及び４：３の何れか一方に選択的に設定することができるものとして構成されている。そして、本実施の形態に係るデジタル信号処理部３０では、被写体像のアスペクト比が設定されたアスペクト比となるように、処理対象とするデジタル画像データの解像度を変換した後にメモリ４８Ａのメモリ空間ＭＳにマッピングするようにしている。このとき、デジタル信号処理部３０は、処理対象とするデジタル画像データをメモリ４８Ａのメモリ空間ＭＳに、被写体像の中心部が当該メモリ空間ＭＳの中心部に一致するようにマッピングしている。
【００６１】
次に、本実施の形態に係るデジタルカメラ１０の撮影時における全体的な動作について簡単に説明する。
【００６２】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６３】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８Ａの所定領域（メモリ空間ＭＳ）に直接格納する。
【００６４】
メモリ４８Ａの所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００６５】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、当該ＹＣ信号をメモリ４８Ａの上記所定領域（メモリ空間ＭＳ）にマッピングデータＤＡＴＡとして再び格納する。
【００６６】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合にビデオ／ＬＣＤエンコーダ３６は、ＬＣＤコントローラ６８によってメモリ４８Ａのメモリ空間ＭＳに記憶されているマッピングデータＤＡＴＡを読み出し、当該マッピングデータＤＡＴＡを用いて、従来既知の技術によりＬＣＤ３８に供給可能な画像信号を生成してＬＣＤ３８に順次出力する。これによってＬＣＤ３８にスルー画像が表示されることになる。
【００６７】
一方、この場合にデジタルエンコーダ６２は、メモリ４８Ａのメモリ空間ＭＳに記憶されているマッピングデータＤＡＴＡを読み出し、当該マッピングデータＤＡＴＡに基づいてビデオ信号Ｓ１を示すデジタルデータを生成し、ＤＡＣ６４に順次出力する。これによって、ビデオ出力端子６６には、スルー画像を示すビデオ信号Ｓ１が順次供給されることになる。
【００６８】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８Ａのメモリ空間ＭＳに格納されているマッピングデータＤＡＴＡに含まれるＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００６９】
ところで、本実施の形態に係るデジタルカメラ１０では、メニュースイッチを押圧操作することによってＬＣＤ３８に表示されるメニュー画面上で、ビデオ出力端子６６に接続されたＴＶ７４が従来型ＴＶであるのか、ワイドＴＶであるのかがユーザによって設定されたとき、及びメモリカード５２に記録する被写体像ないしＬＣＤ３８に再生表示する被写体像のアスペクト比が切り替えられたときにマッピング切換処理が実行される。
【００７０】
次に、図４を参照して、当該マッピング切換処理を実行する際のデジタルカメラ１０の作用を説明する。なお、図４は、このときデジタルカメラ１０のＣＰＵ４０で実行されるマッピング切換処理プログラムの処理の流れを示すフローチャートであり、当該プログラムはメモリ４８Ｂの所定領域に予め記憶されている。また、ここでは、スルー画像をＬＣＤ３８及びＴＶ７４により表示している場合について説明する。
【００７１】
同図のステップ１００では、デジタルエンコーダ６２及びＬＣＤコントローラ６８の作動を停止させることにより、ＴＶ７４及びＬＣＤ３８でのスルー画像の表示を停止させ、次のステップ１０２では、クロックジェネレータ７２の作動を停止させる。
【００７２】
次のステップ１０４では、ユーザによって設定されているＴＶ７４の種類がワイドＴＶであったか否かを判定し、肯定判定となった場合はステップ１０６に移行する。
【００７３】
ステップ１０６では、クロックジェネレータ７２に対してビデオ／ＬＣＤエンコーダ３６に供給する動作クロック信号の周波数をワイドＴＶ用の周波数（２７ＭＨｚ）に設定し、次のステップ１０８では、ユーザによって設定されている被写体像のアスペクト比が１６：９（この場合の被写体像を、以下では「ワイド画像」という。）であるか否かを判定し、肯定判定となった場合はステップ１１０に移行して、デジタル信号処理部３０に対し、被写体像のアスペクト比として１６：９を設定することにより、入力されたデジタル画像データを、ワイド画像である被写体像を示すものとしてマッピングするように設定した後、ステップ１２２に移行する。
【００７４】
上記ステップ１１０の処理により、これ以降、デジタル信号処理部３０では、一例として図５（Ａ）に示すように、ワイド画像である被写体像を示すデジタル画像データをメモリ４８Ａのメモリ空間ＭＳに対して、当該被写体像の中心部が当該メモリ空間ＭＳの中心部に一致するようにマッピングすることになる。
【００７５】
一方、上記ステップ１０８において否定判定となった場合には、ユーザによって設定されている被写体像のアスペクト比が４：３（この場合の被写体像を、以下では「通常画像」という。）であるものと見なしてステップ１１２に移行し、デジタル信号処理部３０に対し、被写体像のアスペクト比として４：３を設定することにより、入力されたデジタル画像データを、通常画像である被写体像を示すものとしてマッピングするように設定した後、ステップ１２２に移行する。
【００７６】
上記ステップ１１２の処理により、これ以降、デジタル信号処理部３０では、一例として図５（Ｂ）に示すように、通常画像である被写体像を示すデジタル画像データをメモリ４８Ａのメモリ空間ＭＳに対して、当該被写体像の中心部が当該メモリ空間ＭＳの中心部に一致するようにマッピングすることになる。
【００７７】
一方、上記ステップ１０４において否定判定となった場合には、ユーザによって設定されたＴＶ７４の種類が従来型ＴＶであったものと見なしてステップ１１４に移行し、クロックジェネレータ７２に対してビデオ／ＬＣＤエンコーダ３６に供給する動作クロック信号の周波数を従来型ＴＶ用の周波数（２４ＭＨｚ）に設定し、次のステップ１１６では、ユーザによって設定されている被写体像がワイド画像であるか否かを判定し、肯定判定となった場合はステップ１１８に移行して、デジタル信号処理部３０に対し、被写体像のアスペクト比として１６：９を設定すると共に、処理対象とするデジタル画像データを当該デジタル画像データにより示される被写体像のアスペクト比を維持した状態で所定圧縮率で圧縮するように設定することにより、入力されたデジタル画像データを、ワイド画像である被写体像を示し、かつ圧縮された状態でマッピングするように設定した後、ステップ１２２に移行する。なお、本実施の形態に係るデジタル信号処理部３０では、上記所定圧縮率として、上記被写体像の左右方向幅が従来型ＴＶの表示領域の左右方向幅に対応する大きさとなるように予め導出された圧縮率を適用している。
【００７８】
上記ステップ１１８の処理により、これ以降、デジタル信号処理部３０では、一例として図５（Ｃ）に示すように、ワイド画像である被写体像を示すデジタル画像データを圧縮した状態で、メモリ４８Ａのメモリ空間ＭＳに対し、当該被写体像の中心部が当該メモリ空間ＭＳの中心部に一致するようにマッピングすることになる。
【００７９】
一方、上記ステップ１１６において否定判定となった場合には、ユーザによって設定されている被写体像が通常画像であるものと見なしてステップ１２０に移行し、デジタル信号処理部３０に対し、被写体像のアスペクト比として４：３を設定することにより、入力されたデジタル画像データを、通常画像である被写体像を示すものとしてマッピングするように設定した後、ステップ１２２に移行する。
【００８０】
上記ステップ１２０の処理により、これ以降、デジタル信号処理部３０では、一例として図５（Ｄ）に示すように、通常画像である被写体像を示すデジタル画像データをメモリ４８Ａのメモリ空間ＭＳに対して、当該被写体像の中心部が当該メモリ空間ＭＳの中心部に一致するようにマッピングすることになる。
【００８１】
ステップ１２２では、上記ステップ１０２において停止されたクロックジェネレータ７２の作動を再開させ、次のステップ１２４では、上記ステップ１００において停止されたデジタルエンコーダ６２及びＬＣＤコントローラ６８の作動を再開させ、その後に本マッピング切換処理プログラムを終了する。
【００８２】
以上のマッピング切換処理により、例えば、ユーザによって被写体像としてワイド画像が、ビデオ出力端子６６に接続されているＴＶ７４としてワイドＴＶが、各々設定されている場合で、ＬＣＤ３８によって表示される画像が図６（Ａ）に示すものである場合、ビデオ出力端子６６にワイドＴＶが接続されている場合には、当該ワイドＴＶでは、図６（Ｂ）に示すように、ＬＣＤ３８に表示される画像と同様の画像が歪みのない状態で表示されることになる。なお、図６（Ａ）に示す例では、ユーザによってワイドＴＶの接続が設定されていることを示す情報（「ワイド」／４：３）も表示領域の最下部に表示している。
【００８３】
これに対してビデオ出力端子６６に誤って従来型ＴＶが接続されている場合、当該従来型ＴＶでは、図６（Ｃ）に示すように、ＬＣＤ３８に表示される画像が左右方向に縮められた状態で表示されることになる。このように、接続されたＴＶ７４が設定されたものと異なる場合には、ＴＶ７４に表示される画像は歪んだ状態になってしまうものの、画像を表示することは可能である。
【００８４】
一方、ユーザによって被写体像としてワイド画像が、ビデオ出力端子６６に接続されているＴＶ７４として従来型ＴＶが、各々設定されている場合で、ＬＣＤ３８によって表示される画像が図７（Ａ）に示すものである場合、ビデオ出力端子６６に従来型ＴＶが接続されている場合には、当該従来型ＴＶでは、図７（Ｃ）に示すように、ＬＣＤ３８に表示される画像と同様の画像が歪みのない状態で表示されることになる。なお、図７（Ａ）に示す例では、ユーザによって従来型ＴＶの接続が設定されていることを示す情報（ワイド／「４：３」）も表示領域の最下部に表示している。
【００８５】
これに対してビデオ出力端子６６に誤ってワイドＴＶが接続されている場合、当該ワイドＴＶでは、図７（Ｂ）に示すように、ＬＣＤ３８に表示される画像が左右方向に伸ばされた状態で表示されることになる。このように、接続されたＴＶ７４が設定されたものと異なる場合には、ＴＶ７４に表示される画像は歪んだ状態になってしまうものの、画像を表示することは可能である。
【００８６】
一方、ユーザによって被写体像として通常画像が、ビデオ出力端子６６に接続されているＴＶ７４としてワイドＴＶが、各々設定されている場合で、ＬＣＤ３８によって表示される画像が図８（Ａ）に示すものである場合、ビデオ出力端子６６にワイドＴＶが接続されている場合には、当該ワイドＴＶでは、図８（Ｂ）に示すように、ＬＣＤ３８に表示される画像と同様の画像が歪みのない状態で表示されることになる。
【００８７】
これに対してビデオ出力端子６６に誤って従来型ＴＶが接続されている場合、当該従来型ＴＶでは、図８（Ｃ）に示すように、ＬＣＤ３８に表示される画像が左右方向に縮められた状態で表示されることになる。このように、接続されたＴＶ７４が設定されたものと異なる場合には、ＴＶ７４に表示される画像は歪んだ状態になってしまうものの、画像を表示することは可能である。
【００８８】
一方、ユーザによって被写体像として通常画像が、ビデオ出力端子６６に接続されているＴＶ７４として従来型ＴＶが、各々設定されている場合で、ＬＣＤ３８によって表示される画像が図９（Ａ）に示すものである場合、ビデオ出力端子６６に従来型ＴＶが接続されている場合には、当該従来型ＴＶでは、図９（Ｃ）に示すように、ＬＣＤ３８に表示される画像と同様の画像が歪みのない状態で表示されることになる。
【００８９】
これに対してビデオ出力端子６６に誤ってワイドＴＶが接続されている場合、当該ワイドＴＶでは、図９（Ｂ）に示すように、ＬＣＤ３８に表示される画像が左右方向に伸ばされた状態で表示されることになる。このように、接続されたＴＶ７４が設定されたものと異なる場合には、ＴＶ７４に表示される画像は歪んだ状態になってしまうものの、画像を表示することは可能である。
【００９０】
ところで、本実施の形態に係るデジタルエンコーダ６２及びＬＣＤコントローラ６８では、一例として図１０に示すように、各々クロックジェネレータ７２から供給される動作クロック信号に同期して垂直同期信号ＶＳＹＮＣ及び水平同期信号ＨＳＹＮＣを生成するが、ユーザによって設定されているＴＶ７４が従来型ＴＶからワイドＴＶに変更された場合には、上記マッピング切換処理プログラムのステップ１０６の処理によって動作クロック信号の周波数が２４ＭＨｚ系から２７ＭＨｚ系に切り替えられてデジタルエンコーダ６２及びＬＣＤコントローラ６８に供給される。
【００９１】
この動作クロック信号の切り替え期間には、上記マッピング切換処理プログラムのステップ１００及びステップ１０２の処理と、ステップ１２２及びステップ１２４の処理によってＴＶ７４及びＬＣＤ３８に非表示期間が設けられて表示がブラックアウトされるので、動作クロック信号の周波数が切り替えられることによる表示画像の乱れを未然に防止することができる。
【００９２】
一方、図１１には、図１０における水平同期信号ＨＳＹＮＣの１周期期間を拡大したタイムチャートが示されている。同図に示すように、ユーザによって設定されたＴＶ７４が従来型ＴＶである場合のマッピングデータＤＡＴＡは、動作クロック信号の６４０クロックで１ライン（１走査線）当たりの画像を示すデジタル画像データが含められ、ユーザによって設定されたＴＶ７４がワイドＴＶである場合のマッピングデータＤＡＴＡは、動作クロック信号の７２０クロックで１ライン（１走査線）当たりの画像を示すデジタル画像データが含められる。この結果、前述したように、ビデオ出力端子６６にユーザによって設定されたテレビジョン受像機がＴＶ７４として接続された場合には、当該ＴＶ７４によって歪みを生じることなく、ＬＣＤ３８に表示される画像と同様の画像が表示されることになる。
【００９３】
図１２には、本発明のメモリ空間として３面分（３フレーム分）のメモリ空間がメモリ４８Ａに設けられている場合における、ユーザによって設定されている被写体像が通常画像からワイド画像に変更された場合のマッピング動作及び表示画像の推移状態が模式的に示されている。なお、ここでは、上記３面分のメモリ空間を、各々、Ａ面、Ｂ面、Ｃ面と表している。また、ここでは、デジタルカメラ１０における撮像系の垂直同期信号ＶＩと、再生系（表示系）の垂直同期信号ＶＤ（上述した垂直同期信号ＶＳＹＮＣと同一。）の同期が取られていない場合について示している。
【００９４】
同図に示すように、この場合、デジタル信号処理部３０では、通常画像からワイド画像に切り替えられるまでは被写体像を示すデジタル画像データが所定フレーム・レートでアスペクト比が４：３とされた通常画像として順次各メモリ空間にマッピングされ、当該切り替えが行われた後は、次の垂直同期信号ＶＩのクロック・タイミングに同期してアスペクト比が１６：９とされたワイド画像での各メモリ空間へのマッピングが開始される。
【００９５】
これに対し、デジタルエンコーダ６２及びＬＣＤコントローラ６８では、既にマッピングが終了している面のメモリ空間に記憶されているマッピングデータＤＡＴＡを用いて画像表示を行うための画像信号を生成してビデオ出力端子６６ないしＬＣＤ３８に供給する。この結果、図１２に示す例では、垂直同期信号ＶＤに同期して、ビデオ出力端子６６に接続されているＴＶ７４及び搭載されているＬＣＤ３８により、Ｃ面にマッピングされた画像、Ａ面にマッピングされた画像、Ａ面にマッピングされた画像、Ｂ面にマッピングされた画像、Ｃ面にマッピングされた画像、・・・、というように各表示画像が切り替わることになる。なお、ここで、Ａ面にマッピングされた画像が２回続けて表示されるのは、垂直同期信号ＶＩと垂直同期信号ＶＤが同期していないために、１回目のＡ面の表示の次の表示タイミングには、Ｂ面へのマッピングが終了していないためである。
【００９６】
なお、以上は、撮影モードが設定されており、スルー画像をＬＣＤ３８及びＴＶ７４に表示させる場合についての説明であるが、再生モードが設定されており、メモリカード５２に記録されているデジタル画像データによって示される被写体像をＬＣＤ３８及びＴＶ７４に表示させる場合についても、ビデオ／ＬＣＤエンコーダ３６は、以上の動作と同様に作用する。但し、この場合は、デジタル信号処理部３０は、再生対象とする被写体像を示すデジタル画像データをメモリカード５２から読み出し、上記と同様のフォーマットとされたマッピングデータＤＡＴＡを生成することになる。
【００９７】
以上詳細に説明したように、本実施の形態によれば、撮像によって被写体像を示すデジタル画像データを取得する撮像手段（ここでは、ＣＣＤ２４）と、前記被写体像を表示するための表示手段（ここでは、ＬＣＤ３８）と、前記被写体像を示すビデオ信号を外部に出力するためのビデオ出力端子（ここでは、ビデオ出力端子６６）と、前記デジタル画像データを一時的にマッピングするためのメモリ空間であり、かつ前記表示手段の表示領域のアスペクト比に応じた２次元配列状態とされたメモリ空間が予め設けられた記憶手段（ここでは、メモリ４８Ａ）と、を備え、前記被写体像の中心部が前記メモリ空間の中心部に一致するように前記デジタル画像データを当該メモリ空間にマッピングし、前記メモリ空間にマッピングされたデジタル画像データに基づいて、当該メモリ空間の中心部に記憶されているデジタル画像データにより示される画像の位置が再生画像の中心位置となるように前記ビデオ信号を生成して前記ビデオ出力端子に供給すると共に、前記メモリ空間にマッピングされたデジタル画像データに基づいて、当該メモリ空間の中心部に記憶されているデジタル画像データにより示される画像の位置が再生画像の中心位置となるように前記表示手段により前記被写体像を表示するための画像信号を生成して当該表示手段に供給しているので、備えられた表示手段により被写体像を表示するための画像信号と、接続された外部表示装置に供給するための画像信号とを簡易な構成で生成することができる。
【００９８】
また、本実施の形態によれば、前記ビデオ出力端子に接続された外部表示装置の表示領域のアスペクト比が前記表示手段の表示領域のアスペクト比と異なり、かつ前記被写体像のアスペクト比が前記外部表示装置の表示領域のアスペクト比と異なる場合に、前記デジタル画像データを、前記被写体像のアスペクト比を維持した状態で圧縮してマッピングすしているので、外部表示装置によって表示される被写体像の欠落を防止することができる。
【００９９】
また、本実施の形態によれば、前記ビデオ出力端子に接続された外部表示装置の表示領域のアスペクト比に応じてビデオ信号生成手段（ここでは、デジタルエンコーダ６２）及び画像信号生成手段（ここでは、ＬＣＤコントローラ６８）の動作クロック信号の周波数を切り替えているので、外部表示装置に応じたビデオ信号を簡易に生成できる。
【０１００】
更に、本実施の形態によれば、前記動作クロック信号の周波数を切り替える期間の被写体像の表示をブラックアウトさせるように前記ビデオ信号生成手段及び前記画像信号生成手段を制御しているので、動作クロック信号の周波数が切り替えられることによる表示画像の乱れを未然に防止することができる。
【０１０１】
なお、本実施の形態で説明したマッピング切換処理プログラムの処理の流れ（図４参照。）は一例であり、本発明の主旨を逸脱しない範囲内において適宜変更可能であることは言うまでもない。
【０１０２】
例えば、当該マッピング切換処理プログラムのステップ１１８では、デジタル信号処理部３０に対し、処理対象とするデジタル画像データを当該デジタル画像データにより示される被写体像のアスペクト比を維持した状態で圧縮するように設定した場合について説明したが、本発明はこれに限定されるものではなく、当該デジタル画像データを圧縮することを設定しない形態とすることもできる。この場合は、ビデオ出力端子６６に接続された従来型ＴＶによって表示される画像の一部が欠落することになるが、当該画像が歪むことはない。
【０１０３】
また、本実施の形態で説明したデジタルカメラ１０の構成（図１及び図２参照。）も一例であり、本発明の主旨を逸脱しない範囲内において適宜変更可能であることは言うまでもない。
【０１０４】
例えば、本実施の形態では、デジタル信号処理部３０においてデジタル画像データの解像度を適宜変換する場合について説明したが、本発明はこれに限定されるものではなく、例えば、デジタル画像データの解像度を変換するための解像度変換部を別途設ける形態とすることもできる。この場合は、デジタル信号処理部３０による解像度変換のための処理を分散化することができ、デジタル信号処理部３０の処理負荷を低減することができる。
【図面の簡単な説明】
【０１０５】
【図１】実施の形態に係るデジタルカメラの外観を示す外観図である。
【図２】実施の形態に係るデジタルカメラの電気系の主要構成を示すブロック図である。
【図３】実施の形態に係るメモリ空間を示す模式図である。
【図４】実施の形態に係るマッピング切換処理プログラムの処理の流れを示すフローチャートである。
【図５】実施の形態に係るマッピング切換処理プログラムにより設定されたマッピングの状態を示す模式図である。
【図６】ユーザによって被写体像としてワイド画像が、ビデオ出力端子６６に接続されているＴＶ７４としてワイドＴＶが、各々設定されている場合における、ＬＣＤ３８によって表示される画像と、ワイドＴＶによって表示される画像と、従来型ＴＶによって表示される画像と、を示す概略図である。
【図７】ユーザによって被写体像としてワイド画像が、ビデオ出力端子６６に接続されているＴＶ７４として従来型ＴＶが、各々設定されている場合における、ＬＣＤ３８によって表示される画像と、ワイドＴＶによって表示される画像と、従来型ＴＶによって表示される画像と、を示す概略図である。
【図８】ユーザによって被写体像として通常画像が、ビデオ出力端子６６に接続されているＴＶ７４としてワイドＴＶが、各々設定されている場合における、ＬＣＤ３８によって表示される画像と、ワイドＴＶによって表示される画像と、従来型ＴＶによって表示される画像と、を示す概略図である。
【図９】ユーザによって被写体像として通常画像が、ビデオ出力端子６６に接続されているＴＶ７４として従来型ＴＶが、各々設定されている場合における、ＬＣＤ３８によって表示される画像と、ワイドＴＶによって表示される画像と、従来型ＴＶによって表示される画像と、を示す概略図である。
【図１０】実施の形態に係るデジタルカメラの動作の説明に供する図であり、デジタルエンコーダ６２及びＬＣＤコントローラ６８で生成される垂直同期信号ＶＳＹＮＣ及び水平同期信号ＨＳＹＮＣと、クロックジェネレータ７２で生成される動作クロック信号と、非表示期間と、を各々示す状態推移図である。
【図１１】実施の形態に係るデジタルカメラの動作の説明に供する図であり、動作クロック信号と、水平同期信号ＨＳＹＮＣと、マッピングデータＤＡＴＡと、を示すタイムチャートである。
【図１２】本発明のメモリ空間として３面分（３フレーム分）のメモリ空間がメモリ４８Ａに設けられている場合における、ユーザによって設定されている被写体像が通常画像からワイド画像に変更された場合のマッピング動作及び表示画像の推移状態を示す模式図である。
【符号の説明】
【０１０６】
１０    デジタルカメラ
２４    ＣＣＤ（撮像手段）
３０    デジタル信号処理部（マッピング手段）
３６    ビデオ／ＬＣＤエンコーダ
３８    ＬＣＤ（表示手段）
４０    ＣＰＵ（周波数切替手段、制御手段）
４８Ａ    メモリ（記憶手段）
６２    デジタルエンコーダ（ビデオ信号生成手段）
６４    ＤＡＣ（ビデオ信号生成手段）
６６    ビデオ出力端子
６８    ＬＣＤコントローラ（画像信号生成手段）
７４    ＴＶ（外部表示装置）
ＤＡＴＡ    マッピングデータ
【図１】
2005260740.tif 000003
【図２】
2005260740.tif 000004
【図３】
2005260740.tif 000005
【図４】
2005260740.tif 000006
【図５】
2005260740.tif 000007
【図６】
2005260740.tif 000008
【図７】
2005260740.tif 000009
【図８】
2005260740.tif 000010
【図９】
2005260740.tif 000011
【図１０】
2005260740.tif 000012
【図１１】
2005260740.tif 000013
【図１２】
2005260740.tif 000014